(57)【特許請求の範囲】
【請求項１】
凹部内に化粧料が収容される容器本体と、この容器本体の凹部開口を蓋する蓋体とを備え、上記容器本体および蓋体の少なくとも一方が、所定間隔をあけて配設される上下一対の平板部と両平板部の後端部同士を連結する帯状連結部とを備え、その前面および左右両側面が側方に開口した枠部形状になっており、上記枠部形状を構成する下側の平板部に、発光部を有する発光手段が、その発光部を、下側平板部から上向きに突出させた状態で内蔵されているとともに、上記両平板部の間の内側空間部に、一端が上記発光手段の発光部に対峙し他端が上記容器本体および蓋体の少なくとも一方の前面および左右両側面まで延びる平板状の光透過体が設けられており、上記発光手段の発光部から投射された光が、上記光透過体を経由して、上記容器本体および蓋体の少なくとも一方の前面および左右両側面に配置された光透過体の端面から容器前方および両側方に照射されるようになっていることを特徴とする照明付コンパクト容器。
【請求項２】
上記発光手段が、ＬＥＤが実装された配線基板と、ＬＥＤ電源用バッテリとで構成されている請求項１記載の照明付コンパクト容器。
【請求項３】
上記光透過体が、光拡散剤を混入してなる透明樹脂によって形成されている請求項１または２記載の照明付コンパクト容器。
【発明の詳細な説明】
【技術分野】
【０００１】
本発明は、照明手段を設けた照明付コンパクト容器に関するものである。
【背景技術】
【０００２】
化粧料を収容したコンパクト容器等の化粧料容器には、単に機能性だけでなく、見栄えがよい、商品イメージを反映したデザインである、といった意匠性も要求される。そのため、化粧料容器に装飾を施す技術が、従来からいろいろと提案されている。例えば、コンパクト容器の蓋体に照明手段を設けることにより装飾効果を得るようにした技術が開示されている（特許文献１参照）。このコンパクト容器は、図７に示すように、ケース本体３１と、蓋体３２と、ＲＧＢ光源３４を有する光源装置３３とを備えており、上記蓋体３２の裏面に形成される凹部３２ａに、その下面開口を封鎖するようにして、上面に光源装置３３が固定されたカバー３５が取り付けられている。そして、上記蓋体３２の、上記ＲＧＢ光源３４に対応する部分が、光透過部３６に形成されており、ＲＧＢ光源３４から投射される光が、上記光透過部３６を介して蓋体３２の表面を照らすようになっている。
【特許文献１】特開２００４−３３８７４６号公報
【発明の開示】
【発明が解決しようとする課題】
【０００３】
しかしながら、上記のコンパクト容器では、ＲＧＢ光源３４から上方に向かって投射された光だけが光透過部３６を透過して表面側に照射されるため、表面側をそれほど明るく照明することができない。しかも、ＲＧＢ光源３４の光が、平板状の光透過部３６をその厚み方向に透過するだけであるため、この透過の際に、光透過部３６での光の乱反射が少なく、やわらかい光となって表面側を照明することができない。さらに、ＲＧＢ光源３４が光透過部３６を介して上方から見えるため、見栄えが悪い。そして、上記照明の方向が、上方に向かう１方向に限られており、上方以外の方向を照明することができない。そのうえ、コンパクト容器に設けた鏡を用いて化粧したのち、このコンパクト容器の照明を利用して顔を明るく照らしながら、大きな鏡で化粧の仕上がりを見る際、コンパクト容器の周囲に手をかけて上面の照明部分で顔を照らす動作がしにくいという問題もある。
【０００４】
本発明は、このような事情に鑑みなされたもので、明るくてやわらかい光で照明することができ、しかも、光源が外部から見えなくて見栄えが良く、さらに、照明方向を容器側方のいずれにも選択することができ、そのうえ、化粧の仕上がりを見る際、その照明を利用して顔を照らしやすい照明付コンパクト容器の提供をその目的とする。
【課題を解決するための手段】
【０００５】
上記の目的を達成するため、本発明の照明付コンパクト容器は、凹部内に化粧料が収容される容器本体と、この容器本体の凹部開口を蓋する蓋体とを備え、上記容器本体および蓋体の少なくとも一方が、所定間隔をあけて配設される上下一対の平板部と両平板部の後端部同士を連結する帯状連結部とを備え、その前面および左右両側面が側方に開口した枠部形状になっており、上記枠部形状を構成する下側の平板部に、発光部を有する発光手段が、その発光部を、下側平板部から上向きに突出させた状態で内蔵されているとともに、上記両平板部の間の内側空間部に、一端が上記発光手段の発光部に対峙し他端が上記容器本体および蓋体の少なくとも一方の前面および左右両側面まで延びる平板状の光透過体が設けられており、上記発光手段の発光部から投射された光が、上記光透過体を経由して、上記容器本体および蓋体の少なくとも一方の前面および左右両側面に配置された光透過体の端面から容器前方および両側方に照射されるようになっているという構成をとる。
【発明の効果】
【０００６】
すなわち、本発明の照明付コンパクト容器（以下「照明付容器」という場合がある）は、容器本体および蓋体の少なくとも一方が、所定間隔をあけて配設される上下一対の平板部と両平板部の後端部同士を連結する帯状連結部とを備え、その前面および左右両側面が側方に開口した枠部形状になっており、その内側に、発光手段と光透過体とが特定の配置で設けられ、この光透過体の一端が上記発光手段の発光部に対峙しているとともに、他端が上記容器本体および蓋体の少なくとも一方の前面および両側面まで延びている。そして、上記発光手段の発光部から上方や側方に投射された光が、光透過体の一端から光透過体内に進入して内部を何度も反射しながら他端側に進み、他端に到達したのち、その端面から容器側方（前方も含む）に照射されるようになっている。このため、上記光透過体の他端の端面に光の束が集まり、光透過体の厚み方向に光が透過する場合に比べて、より明るくてやわらかい光で容器側方を照らす間接照明を得ることができる。したがって、この間接照明によって、容器本体および蓋体の少なくとも一方に陰影を与えることができ、装飾効果に優れている。しかも、容器側方から光が照射されるため、容器本体および蓋体の少なくとも一方の内側に設けた発光部が外部からは見えず、見栄えが良い。さらに、上記照明の方向を適宜選択することができるため、容器側方のうち前方と両側方を光らせたり、側方の全周を光らせたりすることができる。そのうえ、これに設けた鏡を用いて化粧したのち、大きな鏡で化粧の仕上がりを見る際に、コンパクト容器を手指で持ったまま、その側方から照射される光を顔に当てることができ、手間がかからないという利点もある。
【０００７】
また、本発明において、上記発光手段が、ＬＥＤが実装された配線基板と、ＬＥＤ電源用バッテリとで構成されている場合には、簡単な構造で、市販品を使用することができ、製造コストが安価になる。
【０００８】
さらに、本発明において、上記光透過体が、光拡散剤を混入してなる透明樹脂によって形成されている場合には、上記光透過体に進入した光が、光拡散剤により拡散されるため、上記光透過体に経由した光が、ぼんやりした光になり、高級感が生じる。
【発明を実施するための最良の形態】
【０００９】
つぎに、本発明を実施するための最良の形態を図面にもとづいて詳しく説明する。ただし、本発明は、この実施の形態に限定されるわけではない。
【００１０】
図１は、本発明を実施するための最良の形態である照明付コンパクト容器の斜視図であり、図２は、そのＡ−Ａ′断面図である。これらの図において、１は、ファンデーション等の化粧料２ａを収容保持するための化粧料収容凹部２を有する合成樹脂製の容器本体であり、３は、上記化粧料収容凹部２の上面開口を蓋する合成樹脂製の蓋体である。
【００１１】
上記蓋体３は、枠部１１と、この枠部１１に固定される透明もしくは半透明の合成樹脂（例えば、透明アクリル樹脂）製光透過体１２と、ＬＥＤ（発光ダイオード）１４等を有する発光装置１３とを備えている。より詳しく説明すると、上記枠部１１は、所定の間隔をあけて配設された上下一対の平板部１５，１６と、両平板部１５，１６の後端部同士を連結する帯状連結部１７とで構成されており、これにより、上記枠部１１の前面および左右両側面は側方に開口している。
【００１２】
上記光透過体１２は、内部に光拡散剤１２ａが混入された透明樹脂製の平板体からなり、上記枠部１１の両平板部１５，１６と帯状連結部１７間に形成される空間部内に嵌入保持されている。なお、上記光透過体１２は、枠部１１の内面に接着等によって固定されている。また、上記光透過体１２には、その後端部の下面に凹部１８が形成されており、この凹部１８に、上記発光装置１３のＬＥＤ１４の上部が嵌入されている。そして、このＬＥＤ１４から投射された光は、光透過体１２の内部に進入し、光透過体１２とその上下の平板部１５，１６との境界面で何度も乱反射しながら光透過体１２内を通過し、光透過体１２の前面および左右両側面から側方に照射される。この光は、光透過体１２内で何度も乱反射したのち光の束となって集まるため、明るくてやわらかい光で容器側方を照らす間接照明となる。
【００１３】
なお、上記蓋体３に設けられた発光装置１３は、図２の部分拡大図である図３に示すように、その上部が光透過体１２の凹部１８に嵌入されるＬＥＤ１４と、このＬＥＤ１４の電源用バッテリと、ＬＥＤ１４とバッテリ間の電気的接続を行いオンでＬＥＤ１４を点灯しオフで消灯するスイッチ（ともに図示せず）と、ＬＥＤ１４，スイッチ等が実装される配線基板１９と、このスイッチのオン・オフを制御するコントローラ（図示せず）と、上記蓋体３の開閉状態を検出しその検出結果を信号でコントローラに送るセンサー２０等を備えている。
【００１４】
上記センサー２０は、蓋体２の後端部下面の、ヒンジ連結部３ａより手前側部分に、容器本体１の後端部上面に相対するようにして設けられており、開蓋すると、センサー２０の下面が容器本体１の後端部の上面から離れてセンサー２０からコントローラにオン信号が送られ、スイッチがオンになってＬＥＤ１４が点灯するようになっている。また、閉蓋すると、センサー２０の下面が上記後端部上面に当接してセンサー２０からコントローラにオフ信号が送られ、スイッチがオフになり、ＬＥＤ１４が数秒間点灯状態を維持したのち消灯するようになっている。
【００１５】
また、上記発光装置１３の配線基板１９，バッテリ，スイッチ，コントローラ等は上記蓋体３の下側平板部１６に内蔵されており、上記空間部に露呈していない。
【００１６】
上記の構成によれば、閉蓋状態では、ＬＥＤ１４が点灯し、このＬＥＤ１４から上方および側方に投射された光は、光透過体１２の凹部１８から内部に進入し、内部を乱反射しながら進んで、光透過体１２の前面および左右両側面に光の束となって集まるため、明るくてやわらかい光となって、側方を照射することができ、装飾効果に優れている。しかも、蓋体３の側方から光が照射されるため、蓋体３の内側に設けたＬＥＤ１４が外部からは見えず、見栄えが良い。そのうえ、この実施の形態では、上記照明の方向は、蓋体３の前方および左右両側方であるが、前後左右全側方にすることができる。しかも、コンパクト容器に設けた鏡を用いて化粧したのち、大きな鏡で化粧の仕上がりを見る際に、コンパクト容器を手指で持ったまま、その側方から照射される光を顔に当てることができ、簡単に仕上がりを見ることができる。さらに、上記発光装置１３の配線基板１９，バッテリ，スイッチ，コントローラ等が蓋体３の下側平板部１６に内蔵されているため、ＬＥＤ１４から投射された光の進路の邪魔にならないうえ、容器本体１内の化粧料２ａで汚染されることもない。そのうえ、光透過体１２は、上記空間部内に嵌入されてその内面に接着等によって固定されているため、蓋体３が振動等しても、光透過体１２ががたつくことがない。
【００１７】
図４は、本発明の照明付容器の変形例を示す断面図であり、光透過体１２の後端部に、ＬＥＤ１４を配設するための切欠き部２２が穿設されている。それ以外の部分は上記の例と同様であり、同様の部分には同じ符号を付している。この変形例でも、上記の例と同様の作用・効果を奏する。なお、切欠き部２２に代えて、穴が穿設されていてもよい。
【００１８】
図５は、本発明の照明付容器の他の変形例を示す断面図であり、光透過体１２の前端部が切欠かれ、その部分に鏡等の光反射体２３が固定されている。これにより、上記光反射体２３で光を上方に反射させながら、使用者が自分の顔等をより見やすくなる。それ以外の部分は、図１〜図３に示す例と同様であり、同様の部分には同じ符号を付している。この例でも、図１〜図３に示す例と同様の作用・効果を奏する。
【００１９】
また、上記発光装置１３を蓋体３ではなく、容器本体１に設けるようにしてもよい。このような例を、図６に示す。図６は、本発明の照明付容器の他の変形例を示す断面図であり、上記容器本体１の底壁２４に、前面および左右両側面が側方に開口する空間部が形成され、この空間部内に、上記発光装置１３のＬＥＤ１４が設けられている。それ以外の部分は、図１〜図３に示す例と同様であり、同様の部分には同じ符号を付している。この例でも、図１〜図３に示す例と同様の作用・効果を奏する。
【００２０】
なお、上記の各例では、光透過体１２の後端部にＬＥＤ１４が配設されているが、ＬＥＤ１４の位置は、例えば、中央部，前部等いずれの個所に配設されていてもよい。また、その数も限定されるものではなく、複数のものを適宜の配置で並べてもよいし、容器本体１と蓋体３の両方に設けてもよい。
【００２１】
また、上記光透過体１２を構成する透明樹脂としては、ポリエチレンテレフタレート（ＰＥＴ）、グリコール変性ポリエチレンテレフタレート、１，４−シクロヘキシレンジメチレンテレフタレート・イソフタレート共重合体（ＰＣＴＡ）、グリコール変性１，４−シクロヘキシレンジメチレンテレフタレート・イソフタレート共重合体（ＰＣＴＧ）、アクリル樹脂、ポリカーボネート樹脂、ポリスチレン（ＰＳ）等が用いられる。また、光拡散剤１２ａとしては、ガラス粒子，シリカ粒子等の無機粒子や、スチレン系重合体粒子，アクリル系重合体粒子等の有機粒子が用いられ、粒径は、通常２〜１００μｍに設定される。なお、上記の例のように、光透過体１２に光拡散剤１２ａを混入することは必ずしも必要ではないが、蓋体３の側方から照射される光が、やわらかい光となる点から、用いるほうが好ましい。
【００２２】
また、上記の例では、蓋体３の開閉に合わせてＬＥＤ１４をオン・オフしているが、使用者が蓋体３に触れると、その手指の熱をセンサーで検知してＬＥＤ１４が点灯するようにしても、同様の効果を得ることができる。さらに、側方から顔を照らして化粧の仕上がりを見る効果は得られないが、視覚的な演出効果を狙って、容器本体１を机等の台部の上面上に載置すると、載置された容器本体１が水平姿勢であることをセンサーで検知してＬＥＤ１４が点灯するようにしてもよい。
【００２３】
さらに、本発明は、コンパクト容器を対象とするものであるが、本発明を、食品や薬品を収容する容器に応用してもよい。
【図面の簡単な説明】
【００２４】
【図１】本発明の照明付容器の一実施例を示す斜視図である。
【図２】図１のＡ−Ａ′断面図である。
【図３】図２の部分拡大図である。
【図４】上記実施例の変形例を示す断面図である。
【図５】上記実施例の他の変形例を示す断面図である。
【図６】上記実施例のさらに他の変形例を示す断面図である。
【図７】従来例を示す断面図である。
【符号の説明】
【００２５】
１  容器本体
２  化粧料収容凹部
２ａ  化粧料
３  蓋体
１２  光透過体
１３  発光装置
１４  ＬＥＤ
【図１】
0005221212.tif 000002
【図２】
0005221212.tif 000003
【図３】
0005221212.tif 000004
【図４】
0005221212.tif 000005
【図５】
0005221212.tif 000006
【図６】
0005221212.tif 000007
【図７】
0005221212.tif 000008